(57)【要約】【課題】自動で移動通信システムを選択する場合に、常に特定の移動通信システムが優先して選択されるのではなく、使用者が望むであろう移動通信システムを優先して選択する通信端末を提供する。【解決手段】本発明に係る移動通信端末は、移動通信システムを選択する処理を行う時、まず電源電圧値を判定し、電源電圧値が所定値より小さければ（Ｓ４００でＹＥＳ）、予め消費電力が小さいと定められた通信システムを優先して選択し（Ｓ４０３）位置登録を行う（Ｓ３０６）。電源電圧値が、所定値以上であれば（Ｓ４００でＮＯ）、使用者の通信接続履歴情報などにより変更可能な選択順位が上位の通信システムを優先して選択し（Ｓ４０８）、位置登録を行う（Ｓ３０６）。【選択図】  図４
2005020198.tif 000002
【特許請求の範囲】
【請求項１】
複数の移動通信システムの１つを介して外部端末と通信する通信端末であって、
本通信端末を駆動する電源電圧を検知する電圧検知手段と、
前記電圧検知手段にて得られた電源電圧値を反映していずれの移動通信システムを選択するかの処理を行うシステム選択手段と、
前記システム選択手段によって選択された移動通信システムに対し位置登録信号を送信する位置登録手段とを備えることを特徴とする
通信端末。
【請求項２】
前記システム選択手段は、検知された電源電圧値が所定値より小さい場合に、自端末の消費電力が少ななくて済むと予め定められている移動通信システムを優先して選択する処理を行うことを特徴とする
請求項１に記載の通信端末。
【請求項３】
複数の移動通信システムの１つを介して外部端末と通信する通信端末であって、
外部通信端末と通信接続する度毎にどの移動通信システムを介したかに係る履歴情報を蓄積する履歴蓄積手段と、
前記履歴蓄積手段によって蓄積された前記履歴情報を反映して移動通信システムを選択するシステム選択手段と、
前記システム選択手段によって選択された移動通信システムに対し位置登録信号を送信する位置登録手段とを備えることを特徴とする
通信端末。
【請求項４】
前記システム選択手段は前記履歴蓄積手段によって蓄積された前記履歴情報から移動通信システム毎の通信回数を計数し前記通信回数が最大の移動通信システムを優先して選択すること特徴とする
請求項３に記載の通信端末。
【請求項５】
前記履歴蓄積手段によって蓄積される履歴情報は通信時間に係る情報を含むものであって、
前記システム選択手段は前記履歴蓄積手段によって蓄積された前記履歴情報から移動通信システム毎の累積通信時間を取得し前記累積通信時間が最も長い移動通信システムを優先して選択することを特徴とする
請求項３に記載の通信端末。
【請求項６】
ＣＰＵを備える通信端末に複数の移動通信システムの１つを介して外部端末と通信させるためのプログラムであって、
本通信端末を駆動する電源電圧を検知する電圧検知ステップと、
前記電圧検知ステップから得られた電源電圧値を反映していずれの移動通信システムを選択するかの処理を行うシステム選択ステップと、
前記システム選択ステップによって選択された移動通信システムに対し位置登録信号を送信する位置登録ステップとを備えることを特徴とする
プログラム。
【請求項７】
ＣＰＵを備える通信端末に複数の移動通信システムの１つを介して外部端末と通信させるためのプログラムであって、
外部通信端末と通信接続する度毎にどの移動通信システムを介したかに係る情報を蓄積する履歴蓄積ステップと、
前記履歴蓄積ステップによって蓄積された前記履歴情報を反映して移動通信システムを選択するシステム選択ステップと、
前記システム選択ステップによって選択された移動通信システムに対し位置登録信号を送信する位置登録ステップとを備えることを特徴とする
プログラム。
【請求項８】
複数の通信方式が互いに異なる移動通信システムの１つを介して外部端末と通信することができる通信端末であって、
前記複数の移動通信システムの各々の通信方式対応して通信するための各々の無線部と
本通信端末を駆動する電源電圧を検知する電圧検知手段と、
前記電圧検知手段から得られた電源電圧値を反映していずれの前記無線部を選択するかの処理を行う無線部選択手段と、
前記無線部選択手段によって選択された無線部を通じて位置登録信号を送信する位置登録手段とを備えることを特徴とする
通信端末。
【請求項９】
複数の通信方式が互いに異なる移動通信システムの１つを介して外部端末と通信することができる通信端末であって、
前記複数の移動通信システムの各々の通信方式対応して通信するための各々の無線部と
外部通信端末と通信接続する度毎にどの移動通信システムを介したかに係る情報を蓄積する履歴蓄積手段と、
前記履歴蓄積手段によって蓄積された前記履歴情報を反映して前記無線部を選択する処理を行う無線部選択手段と、
前記無線部選択手段によって選択された無線部を通じて移動通信システムに対し位置登録信号を送信する位置登録手段とを備えることを特徴とする
通信端末。
【発明の詳細な説明】
【０００１】
【発明の属する技術分野】
本発明は、複数の移動通信システムのうち１つを介して外部端末と通信することができる通信端末に関する。
【０００２】
【従来の技術】
現在、ＰＤＣやＰＨＳやＧＳＭやＵＭＴＳなどといった様々な移動通信システムによる携帯端末の通信サービスが提供されている。それぞれの移動通信システムは通信費用、通話品質、通信速度などで異なる特性をもち、使用者は個々に応じた移動通信システムを選択できるようになっている。
【０００３】
これらの移動通信システムは各々通信方式が異なるが、１つの端末で複数の移動通信システムを利用できるような移動通信端末が提案され、利用されるようになってきた。
例えば、２つの互いに異なる移動通信システムを利用することができ、受信待ち受けをどちらの移動通信システムとするかを自動選択または手動選択する手段を有し、自動選択の場合には、常に消費電力が少なくて済む特定の移動通信システムを優先して選択するようにしている移動通信端末が、下記特許文献１で開示されている。
【０００４】
【特許文献１】第３１３５８３２号特許公報
【０００５】
【発明が解決しようとする課題】
前記従来の移動通信端末は、自動で移動通信システムを選択する場合、常に消費電力が少なくて済む特定の移動通信システムを優先して選択するため、省エネルギーや経済性に優れている。
しかしながら、このような移動通信端末においては、例えば消費電力が大きくて通信速度が速い移動通信システムは、常に優先して選ばれなくなってしまう。このように、自動で通信システムを選択した時に、使用者が望まない移動通信システムが選ばれる場合があり、その度毎に使用者は手動で望む移動通信システムに切り替える必要があるため、使用者にとって操作が煩わしいという問題がある。
【０００６】
本発明は、上記の問題を解決するためになされたものであり、自動で移動通信システムを選択する場合に、常に特定の移動通信システムが優先して選択されるのではなくすること及び、使用者が望む移動通信システムを予測してそれを優先して選択する移動通信端末を提供することを目的とする。
【０００７】
【課題を解決するための手段】
本発明における通信端末は、複数の移動通信システムの１つを介して外部端末と通信する通信端末であって、本通信端末を駆動する電源電圧を検知する電圧検知手段と、前記電圧検知手段にて得られた電源電圧値を反映していずれの移動通信システムを選択するかの処理を行うシステム選択手段と、前記システム選択手段によって選択された移動通信システムに対し位置登録信号を送信する位置登録手段とを備えることを特徴とする。
【０００８】
また、本発明における通信端末は、複数の移動通信システムの１つを介して外部端末と通信する通信端末であって、外部通信端末と通信接続する度毎にどの移動通信システムを介したかに係る履歴情報を蓄積する履歴蓄積手段と、前記履歴蓄積手段によって蓄積された前記履歴情報を反映して移動通信システムを選択するシステム選択手段と、前記システム選択手段によって選択された移動通信システムに対し位置登録信号を送信する位置登録手段とを備えることを特徴とする。
【０００９】
【発明の実施の形態】
以下、本発明の実施の形態に係る移動通信端末を図面を参照しながら説明する。以下に説明する実施の形態では、第１の移動通信システムとしてＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、第２の移動通信システムとしてＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）がそれぞれ用いられるものとする。
【００１０】
＜構成＞
図１は本発明に係る移動通信端末１００と移動通信システムとの関係を示す図である。図１において、無線基地局１０１と無線基地局１０４はＧＳＭによる通信を中継するＧＳＭの無線基地局、無線基地局１０２と無線基地局１０３はＵＭＴＳによる通信を中継するＵＭＴＳの無線基地局を示す。移動通信端末位置管理局１０６は、移動通信端末１００の位置、及びどの移動通信システムを利用しているのか等についての情報を一元管理する機能を有する。移動通信端末１００は何れかの移動通信システムを選択し、その移動通信システムの無線基地局を通して、移動通信端末位置管理局１０６に位置登録することによって、その移動通信システムを介した通信の待ち受けが可能な状態になる。
【００１１】
位置登録とは、移動通信端末１００が現在いる無線ゾーン（位置登録エリア）を移動通信端末位置管理局１０６に知らせることである。移動端末が位置登録エリアを超えて別の位置登録エリアに移動したときに、または電源を投入したときに移動端末が位置登録動作を行うので、ユーザは位置登録エリアを意識する必要はない。移動通信端末１００が例えばＧＳＭ無線基地局１０１を含む位置登録エリアに位置登録している場合、移動通信端末１００に通信を試みる外部の通信端末１０７は公衆回線１０５を通じて移動通信端末位置管理局１０６に問い合わせを行う。移動通信端末位置管理局１０６は移動通信端末１００が位置登録をしている移動通信システムの種類と位置情報をもとに、移動通信端末１００が位置登録をしているＧＳＭの無線基地局１０１に移動通信端末１００の呼び出しをさせる。そして移動通信端末１００が呼び出しに応じることにより移動通信端末１００と外部の通信端末１０７との通信が成立する。
【００１２】
図２は本発明に係る移動通信端末１００の構成を示すブロック図である。この移動通信端末１００は、共通アンテナ２０１、ＧＳＭ無線部２０２、ＵＭＴＳ無線部２０３、電界強度測定部２０４、制御部２０５、スピーカー２０６、マイクロフォン２０７、入力部２０８、表示部２０９、記憶部２１０、電源電圧検知部２１１から構成されている。
【００１３】
共通アンテナ２０１は、ＧＳＭ無線部２０２及びＵＭＴＳ無線部２０３からの各電気信号を電磁波に変換して移動通信端末１００の外部に放出する機能を有する。また、この共通アンテナ２０１は、図１の１０１〜１０４に示すＧＳＭ無線基地局及びＵＭＴＳ無線基地局からの電磁波を受信して電気信号に変換する機能を有する。変換された電気信号は、ＧＳＭ無線部２０２またはＵＭＴＳ無線部２０３に伝送される。ＧＳＭ無線部２０２及びＵＭＴＳ無線部２０３は共通アンテナ２０１から供給された電気信号を復調して受信データとして制御部２０５に送出する機能を有する。ＧＳＭ無線部２０２及びＵＭＴＳ無線部２０３はさらに制御部２０５からの送信データを変調して共通アンテナ２０１に送出する機能を有する。
【００１４】
電界強度測定部２０４は、ＧＳＭ無線部２０２又はＵＭＴＳ無線部２０３のどちらか１つを通じて電波を受信し、ＧＳＭまたはＵＭＴＳの受信電波の電界強度（ＲＳＳＩ（Ｒｅｃｅｉｖｅｄ  Ｓｉｇｎａｌ  Ｓｔｒｅｎｇｔｈ  Ｉｎｄｉｃａｔｏｒ））を測定し、制御部２０５に測定値を伝える機能を有する。電源電圧検知部２１１は電源の電圧を測定し、制御部２０５に測定値を伝える機能を有する。スピーカー２０６は、制御部２０５からの音声信号に基づいて受信された音声を発生する。マイクロフォン２０７は、送信する音声を電気信号に変換し制御部２０５に供給する。入力部２０８には、例えば電源を投入するための電源スイッチ、ダイアル番号を入力するためのテンキー等が設けられている。入力部２０８は使用者が上記テンキー等を用いて入力した操作情報を制御部２０５に伝送する機能を有する。表示部２０９は、例えばＬＣＤ（液晶ディスプレイ）で構成され、制御部２０５が、日付、時刻、受信された電界強度、ダイアル番号、その他種々のメッセージを表示する機能を有する。
【００１５】
記憶部２１０は、制御部２０５で実行されるプログラムやデータを記憶するメモリ群であり、不揮発性メモリの領域と、揮発性メモリの領域で構成される。
記憶部２１０に記憶されているデータには後で詳しく説明する次のデータが含まれる。それらは、通信システム選択モードデータと、通信システム選択基準データと所定電圧データと、低電圧時優先システムデータと、通信接続履歴選択データとである。これらのデータが記憶されている領域は記憶部２１０のうち、移動通信端末１００の電源がオフにされても、データが消滅してしまうことのない不揮発性メモリの領域である。
【００１６】
制御部２０５は、記憶部２１０に記憶されたプログラム及び、入力部２０８から取得した操作情報に従って処理を行うことにより、移動通信端末１００の各部を制御する機能を有する。また、制御部２０５は電界強度測定部２０４から信号を取得して電界強度を判定する機能と、電源電圧検知部から信号を取得し電源電圧を判定する機能を有する。この制御部２０５は、例えばマイクロプロセッサ（ＣＰＵ）で構成することができる。
【００１７】
＜データ＞
以下、記憶部２１０に格納される通信システム選択モードデータについて説明する。
図６は通信システム選択モードデータの構成及び内容例を示す図である。通信システム選択モードデータ６００は、移動通信端末１００を位置登録させる移動通信システムをどのように選択するかを示すデータであり、移動通信端末１００が自動で選択する自動モード、ＧＳＭに固定して選択するＧＳＭ固定モード及び、ＵＭＴＳに固定して選択するＵＭＴＳ固定モードの常に何れか一つのモードに設定されているものとする。図６の現在の選択モード６０２のように例えば１は設定されていることを表し、０は設定されていないことを表す。これらは、使用者が入力部２０８を用いて設定することが可能であり、その設定動作は後で詳しく説明する。図６の例では、現在の選択モードは自動選択モードに設定していることを示している。
【００１８】
以下、記憶部２１０に格納される所定電圧値データについて説明する。
図７は所定電圧データの構成と内容例を示す図である。後述するように、制御部２０５は電源電圧値と所定電圧値７００とを比較して、移動通信システムの選択処理を行う。図７の例では所定電圧値が１．８（Ｖ）であることを示している。以下、記憶部２１０に格納される低電圧時優先システムデータについて説明する。
【００１９】
低電圧時優先システムデータは、電源電圧値が所定電圧値７００よりも小さい場合に制御部２０５が優先して選択する特定の移動通信システムを示しており、このデータは工場出荷時に設定されるか、あるいは使用者が入力部２０８を用いて設定することが可能であり、使用者による設定動作は後で詳しく説明する。なお、本実施例では当該移動通信システムはＧＳＭに設定されているとする。
【００２０】
以下、記憶部２１０に格納される通信システム選択基準データについて説明する。
図８は通信システム選択基準データの構成及び内容例を示す図である。通信システム選択基準データ８００は、通信システム名８０１と選択順８０２と接続履歴（時間）８０３と接続履歴（回数）８０４の集合である。
【００２１】
移動通信システム名８０１は移動通信端末１００が利用することができる移動通信システムを表すデータである。選択順８０２は移動通信システム名８０１毎に対応付けた順位を表すデータで、自動モードの場合に制御部２０５が移動通信端末１００を位置登録させる移動通信システムを選択する際の基準の１つとなる。
【００２２】
接続履歴（時間）８０３は、移動通信端末１００が移動通信システムを介して通信接続する毎に蓄積されるデータで、通信システム名８０１で示される移動通信システムにどれだけの時間通信接続したかを示すデータである。接続履歴（回数）８０４は、移動通信端末１００が移動通信システムを介して通信接続する毎に蓄積されるデータで、通信システム名８０１で示される移動通信システムに何度通信接続したかを示すデータである。ここで、選択順８０２は、接続履歴（時間）８０３又は接続履歴（回数）８０４に基づいて決定される選択順位である。
【００２３】
図８に示す例では、ＵＭＴＳの選択順は１であり、接続履歴（時間）８０３は１０時間２５分３０秒で、接続履歴（回数）８０４は２６２回でありさらに、ＧＳＭの選択順は２であり、接続履歴（時間）８０３は２時間３６分５７秒で、接続履歴（回数）８０４は４３０回であることを示している。これら通信接続履歴データが蓄積される動作は後で詳しく説明する。
【００２４】
以下記憶部２１０に格納される通信接続履歴選択データについて説明する。
通信接続履歴選択データはこれら接続履歴（時間）８０３と接続履歴（回数）８０４のどちらを根拠にするかを示すデータであるが、後述するように、制御部２０５は通信接続履歴（時間）８０３と接続履歴（回数）８０４のどちらか一方を根拠に選択順８０２を決定する。このデータは、工場出荷時に設定されるか、あるいは使用者が入力部２０８を用いて設定することが可能であり、使用者による設定動作は後で詳しく説明する。
【００２５】
＜動作＞
次に、上記のように構成される移動通信端末１００の動作を説明する。
図３は移動通信端末１００の全体的動作を示すフローチャートである。まず電源が投入され、使用者が、入力部２０８の設定キーを押下するなどして、通信システムの選択方法に係る設定を行うための指示を発した場合（ステップＳ３００でＹＥＳ）、制御部２０５は通信システム選択方法の設定（ステップＳ３０１）に処理を移す。ただしここで指示が発せられなかった場合は（ステップＳ３００でＮＯ）、制御部２０５は処理を後述のステップＳ３０２に移す。
【００２６】
ここで、通信システム選択方法の設定の処理（ステップＳ３０１）について図を用いて詳しく説明しておく。図１３は制御部２０５が行う通信システム選択方法の設定の処理を示すフローチャートである。
通信システム選択方法の設定の処理で、制御部２０５はまず通信システム選択モードデータ６００の設定を行うためのＧＵＩ（Ｇｒａｐｈｉｃａｌ  Ｕｓｅｒ  Ｉｎｔｅｒｆａｃｅ）を表示部２０９にさせるべく処理を行い（ステップＳ５０１）、使用者はその結果表示される画面の指示に従って、入力部２０８の設定キーを押下するなどして設定を行う。この設定を行う際の表示例を図９に示す。
【００２７】
表示画面９００は表示部２０９の表示内容の一例である。この表示画面９００は、通信システム選択モード６０１とそれらのうちの何れか１つを選択するためのラジオボタンを表示する表示部位９０１を持ち、使用者はラジオボタンを何れか１つ選択することによって、選択したモードに対応する現在の選択モード６０２を１に設定することが可能である。同図では、自動選択に設定した例を示している。
【００２８】
ここの設定で使用者が選択モードを自動選択に設定せずに、ＧＳＭ、ＵＭＴＳの何れかの固定モードに設定した場合は（ステップＳ５０２でＮＯ）、制御部２０５は通信システム選択方法の設定を終える。また、使用者が自動選択に設定した場合は（ステップＳ５０２でＹＥＳ）、次に制御部２０５は処理をステップＳ５０３に移す。
【００２９】
ステップＳ５０３で制御部２０５は、低電圧時優先システムデータの設定を行うためのＧＵＩを表示部２０９に表示させるべく処理を行い、次に使用者はその結果表示される画面の指示に従って、入力部２０８の設定キーを押下するなどして設定を行う。この設定を行う際の表示例を図１０に示す。
表示画面１０００は表示部２０９の表示内容の一例である。この表示画面１０００は、本通信端末で利用可能な通信システムとそれらのうちの何れか１つを選択するためのラジオボタンを表示する表示部位１００１を持ち、使用者はラジオボタンを何れか１つ選択することによって、低電圧時優先システムデータを設定することが可能である。同図では、ＧＳＭに設定した例を示している。低電圧時優先システムデータの設定が終了すると制御部２０５は次にステップＳ５０４に処理を移す。
【００３０】
ステップＳ５０４で制御部２０５は、通信接続履歴選択データの設定を行うためのＧＵＩを表示部２０９に表示させるべく処理を行い、次に使用者はその結果表示される画面の指示に従って、入力部２０８の設定キーを押下するなどして設定を行う。この設定を行う際の表示例を図１１に示す。
表示画面１１００は表示部２０９の表示内容の一例である。この表示画面１１００は、通信システムの選択の基準として用いる接続履歴の情報である、接続履歴（時間）８０３および接続履歴（回数）８０４、とそれらのうちの何れか１つを選択するためのラジオボタンを表示する表示部位１１０１を持ち、使用者はラジオボタンを何れか１つ選択することによって、通信接続履歴選択データを設定することが可能である。同図では、接続履歴（回数）８０４に設定した例を示している。
【００３１】
通信接続履歴選択データの設定（Ｓ５０４）が終了すると制御部２０５は通信システム選択方法の設定を終了し処理をステップＳ３０２に移す。
次に、移動通信端末１００の全体的動作を再び図３を用いて説明する。
通信システム選択方法の設定を終了すると制御部２０５は記憶部２１０に保存されている通信システム選択モードデータ６００を読み込み、現在どのモードに設定されているかを判断する（ステップＳ３０２）。自動選択モードでなければ（ステップＳ３０２でＮＯ）、制御部２０５は電界強度測定部２０４より信号を受け付け現在の選択モード６０２で指定した移動通信システムの電界強度（ＲＳＳＩ）を判定する。
【００３２】
指定した移動通信システムの電界強度が、所定値ｎ［Ｖ／ｍ］以下であれば（ステップＳ３０３でＮＯ）、制御部２０５は現在の選択モード６０２で指定した移動通信システムの電界強度が通信接続するのに十分でないことを表示部２０９に表示し使用者に告知して（ステップＳ３０４）、処理をステップＳ３００に戻す。ここで、電界強度の所定値ｎ［Ｖ／ｍ］とは、この値以上であれば安定的に通信接続が出来ると予め定められた電界強度である。電界強度が所定値ｎ［Ｖ／ｍ］以上であれば（ステップＳ３０３でＹＥＳ）、制御部２０５はステップＳ３０６に処理を移す。ステップＳ３０２にて、自動選択モードの場合（ステップＳ３０２でＹＥＳ）、制御部２０５はステップＳ３０５に処理を移す。
ここで、通信システム選択処理（ステップＳ３０５）の詳しい動作を図４を用いて説明しておく。
【００３３】
まず制御部２０５は記憶部２１０に記憶されている所定電圧値７００を読み込む。さらに、制御部２０５は電源電圧検知部２１１より信号を受け付け電源電圧値を取得する。そして取得した電源電圧値と前記所定電圧値と比較する（ステップＳ４００）。ここで、電源電圧値が、前記所定電圧値よりも小さい場合（ステップＳ４００でＹＥＳ）、制御部２０５は前記低電圧時優先システムデータを記憶部２１０から読み込み、設定された特定の移動通信システムを優先して選択することを表示部２０９に表示し使用者に告知する（ステップＳ４０１）。
【００３４】
この表示例を図５に示す。表示画面５００は表示部２０９の表示内容の一例である。この表示画面は、制御部２０５が現在選択している移動通信システム名を表示する表示部位５０１を持ち、さらに、電源電圧値が前記所定電圧値よりも小さい場合（ステップＳ４００でＹＥＳ）に制御部２０５がＧＳＭを優先して選択する旨を表示する表示部位５０２を持つ。この図の表示例では、現在電源電圧値が所定電圧値よりも小さいためにＧＳＭが優先されて、ＧＳＭが選択されていることを示している。
【００３５】
さて、制御部２０５は画面表示（ステップＳ４０１）の次に処理をステップＳ４０２に移す。ここで制御部２０５は電界強度測定部２０４より信号を受け付け前記低電圧時優先システムデータに設定されたＧＳＭの電界強度（ＲＳＳＩ）を判定する。ＧＳＭの電界強度が所定値ｎ［Ｖ／ｍ］より大きければ（ステップＳ４０２でＹＥＳ）、制御部２０５はＧＳＭを選択し（ステップＳ４０３）て、さらにＧＳＭを選択していること表示部位５０１に表示し、通信システム選択処理を終える。
【００３６】
ステップＳ４０２でＧＳＭの電界強度が所定値ｎ［Ｖ／ｍ］以下であれば（ステップＳ４０２でＮＯ）、制御部２０５は、次にＵＭＴＳの電界強度を、電界強度測定部２０４から得る。ＵＭＴＳの電界強度が所定値ｎ［Ｖ／ｍ］より大きければ（ステップＳ４０４でＹＥＳ）、制御部２０５はＵＭＴＳを選択し（ステップＳ４０５）て、さらにＵＭＴＳを選択していることを表示部位５０１に表示し、通信システム選択処理を終える。ここでＵＭＴＳの電界強度が所定値ｎ［Ｖ／ｍ］以下であれば（ステップＳ４０４でＮＯ）、制御部２０５はＧＳＭとＵＭＴＳ双方の移動通信システムの電界強度が通信接続するのに十分でないことを表示部２０９に表示し使用者に告知し（ステップＳ４０６）、処理をＳ３０２に戻す。
【００３７】
さて、ステップＳ４００で電源電圧値が所定の電圧値７００以上の場合、制御部２０５は処理をステップＳ４０７に移す。制御部２０５はまず記憶部２１０に格納されている通信システム選択基準データ８００を読み込む。該データを読み込み後、選択順８０２が１位の移動通信システムを選択して、その移動通信システムの電界強度（ＲＳＳＩ）を判定する（ステップＳ４０７）。そこで電界強度が所定値ｎ［Ｖ／ｍ］より大きければ（ステップＳ４０７でＹＥＳ）、制御部２０５は選択順８０２が１位の通信システムを選択し（ステップＳ４０５）て、さらにその移動通信システムを選択していること表示部位５０１に表示し、通信システム選択処理を終える。
【００３８】
ステップＳ４０９で選択順８０２が１位の移動通信システムの電界強度が所定値ｎ［Ｖ／ｍ］以下であれば（ステップＳ４０９でＮＯ）、次に制御部２０５は、次に選択順８０２が２位の移動通信システムの電界強度（ＲＳＳＩ）を、電界強度測定部２０４から得る。そこで電界強度が所定値ｎ［Ｖ／ｍ］より大きければ（ステップＳ４０９でＹＥＳ）、制御部２０５は選択順８０２が２位の移動通信システムを選択し（ステップＳ４１０）て、さらにその移動通信システムを選択していることを表示部位５０１に表示し、通信システム選択処理を終える。ここで選択順８０２が２位の移動通信システムの電界強度が所定値ｎ［Ｖ／ｍ］以下であれば（ステップＳ４０９でＮＯ）、制御部２０５はＧＳＭとＵＭＴＳ双方の移動通信システムの電界強度が通信接続するのに十分でない旨を表示部２０９に表示して使用者に告知し（ステップＳ４１１）、処理をＳ３０２に戻す。
【００３９】
さて、制御部２０５は通信システム選択処理（ステップＳ３０５）で移動通信システムを選択した後、処理をステップＳ３０６に移す。Ｓ３０６で制御部２０５は位置登録動作を行う。位置登録動作では、制御部２０５はまず選択した移動通信システムに対応する無線部（ＧＳＭ無線部２０２またはＵＭＴＳ無線部２０３のどちらか一方）を選択する。選択した後、該無線部及び共通アンテナ２０１を介して、選択した移動通信システムの位置登録エリア内の無線基地局に対して位置登録するための信号を送信する。信号を送信した後、無線基地局から登録完了の信号を受け取って、位置登録動作が完了する。該無線基地局からの信号には、位置登録した位置登録エリアを特定するコードが含まれており、制御部２０５は記憶部２１０にこの位置コードを記憶しておく。
【００４０】
位置登録動作完了の後、制御部２０５は待ち受け状態に入る（ステップＳ３０７）。待ち受け状態では、ある一定の時間間隔、例えば１、２秒毎に位置登録した位置登録エリア内の無線基地局から送信される一斉呼び出しチャンネル（ＰＣＨ）を受信する。これにより、この移動通信端末１００は選択した移動通信システムでの使用が可能になる。
【００４１】
無線基地局は移動通信端末１００への報知チャネル（ＢＣＣ）信号の中に、その無線基地局の位置登録エリアを特定する位置コードを報知している。ここで制御部２０５は、待ち受け状態にあるときに、記憶部２１０に記録した現在位置登録している位置登録エリアの位置コードと上記無線基地局が報知する位置コードを比較し、これらが互いに異なる場合（ステップＳ３０８でＹＥＳ）に、または一定時間、例えば１分毎に制御部２０５が所定電圧値７００と電源電圧値を比較し、電源電圧値が所定電圧値７００より低い場合に、位置登録の必要がありと判断して処理をステップＳ３０２に戻す。
【００４２】
待ち受け状態にある移動通信端末１００は、従来技術である無線基地局からの着呼または使用者の発呼動作（ステップＳ３０９）を経て、外部の通信端末と通信接続を行う（ステップＳ３１０）。その後通信が切断（ステップＳ３１１）した後、制御部２０５は接続履歴の登録ステップ（ステップＳ３１２）に処理を移す。ここで制御部２０５は、通信開始から通信切断までの通信時間と移動通信システム名を記憶部２１０に記憶するものとする。
【００４３】
接続履歴の登録ステップ（ステップＳ３１２）で、制御部２０５はまず通信システム選択基準データ８００を記憶部２１０から読み込む。制御部２０５は読み込んだ通信システム選択基準データ８００のうち、通信切断後に記憶部２１０に記憶した移動通信システム名に対応する接続履歴（時間）８０３に今回の通信接続時間を加算し、さらに接続履歴（回数）８０４に１を加算する。
【００４４】
次に、制御部２０５は通信接続履歴選択データを読み込む。ここで該データが累積の通信接続時間を用いることを示している場合、制御部２０５はＧＳＭとＵＭＴＳの接続履歴（時間）８０３を比較して、接続履歴（時間）８０３が長い方の移動通信システムの選択順を１、他方を選択順２と決定して通信システム選択基準データを更新する。一方通信接続履歴選択データが累積の通信接続回数を用いることを示している場合、制御部２０５はＧＳＭとＵＭＴＳの接続履歴（回数）８０４を比較して、接続履歴（回数）８０４が多い方の移動通信システムの選択順を１、他方を選択順２と決定して通信システム選択基準データを更新する。
【００４５】
なお、接続履歴（時間）８０３及び接続履歴（回数）８０４のデータは、使用者が入力部２０８を通じて初期化命令を入力し制御部２０５が０に更新することが可能であるとする。
上記接続履歴の登録ステップ（Ｓ３１２）が終了すると、制御部２０５は待ち受け状態（ステップＳ３０７）に処理を戻す。
【００４６】
以下、図６〜図８に示したデータを記憶部２１０に格納していると仮定した移動通信端末１００の動作を説明する。
ここでさらに、移動通信端末１００の電源電圧値は１．９（Ｖ）であり、移動通信端末１００が使用されている場所でのＧＳＭ、ＵＭＴＳどちらの電界強度も通信に十分な強度を持っていると仮定する。
【００４７】
まず、電源が投入されると、制御部２０５は通信システム選択モードデータ６００を参照し、ここで仮定しているように制御部２０５は現在の選択モード６０２が自動選択であることを判定する。次にステップＳ３０５へ移り、通信システム選択処理（ステップＳ４００）を始める。まず制御部２０５は記憶部２１０に記憶されている所定電圧データの所定電圧値７００を読み込み１．８（Ｖ）の値を得る。さらに、制御部２０５は電源電圧検知部２１１から電源電圧値を読み込み１．９（Ｖ）の値を得る。この場合電源電圧値が所定電圧値以上のため、制御部２０５はステップＳ４０７に処理を移す。
【００４８】
次に制御部２０５は通信システム選択基準データ８００を読み込み、該データよりＵＭＴＳが選択順１であり、ＧＳＭが選択順２であることを得る。そこで、制御部２０５は選択順１であるＵＭＴＳの電界強度を判定する。ここでは電界強度が十分に強いと仮定しているので、制御部２０５はＵＭＴＳを選択し、表示部５０１にＵＭＴＳを選択中であることを表示（ステップＳ４０８）して通信システム選択処理を終える。
【００４９】
次に制御部２０５はステップＳ３０６で、ＵＭＴＳ無線部２０３を通じて、ＵＭＴＳの無線基地局に位置登録のための信号を送信し位置登録を行う。次に制御部２０５はＵＭＴＳで待ち受け状態（ステップＳ３０７）に移行し、移動通信端末１００はＵＭＴＳを介して着呼または発呼が可能になる。次に制御部２０５は着呼または発呼（ステップＳ３０９）を経て、通話状態（ステップＳ３１０）に移行した後、通話後、通話は切断される（ステップＳ３１１）。ここで通信接続時間は１０分間と仮定すると、次に制御部２０５は接続履歴の登録ステップ（Ｓ３１２）で、通信システム選択基準データ８００のＵＭＴＳの接続履歴（時間）８０３を１０ｈ３５ｍ３０ｓに更新しＵＭＴＳの接続履歴（回数）を２６３に更新する。
【００５０】
次に、制御部２０５は通信接続履歴選択データを読み込む。ここで該データが累積の通信接続時間を用いることを示している場合、制御部２０５はＧＳＭとＵＭＴＳの接続履歴（時間）８０３を比較する。ここでは、ＵＭＴＳでの接続履歴（時間）８０３がＧＳＭでの接続履歴（時間）８０３よりも多いため、制御部２０５は選択順１がＵＭＴＳ、選択順２がＧＳＭと決定して通信システム選択基準データを更新する。一方通信接続履歴選択データが累積の通信接続回数を用いることを示している場合、制御部２０５はＧＳＭとＵＭＴＳの接続履歴（回数）８０４を比較する。ここでは、ＧＳＭでの接続履歴（回数）８０４がＵＭＴＳでの接続履歴（回数）８０４よりも多いため、制御部２０５は選択順１がＧＳＭ、選択順２がＵＭＴＳと決定して通信システム選択基準データを更新する。次に制御部２０５は待ち受け状態（Ｓ３０７）に処理を移す。
【００５１】
さてここで移動通信端末１００が、移動をおこない位置登録をしている位置登録エリアから、異なる位置登録エリアに移り、さらに電源電圧が１．７（Ｖ）であり、さらに移動通信端末１００が使用されている場所でのＧＳＭ、ＵＭＴＳどちらの電界強度も通信に十分な強度を持っていると仮定して動作を説明する。
異なる位置登録エリアからの位置コードを受け取った制御部２０５は位置登録の必要があると判定し（ステップＳ３０８でＹＥＳ）処理をステップＳ３０２へ移す。再び制御部２０５は通信システム選択モードの現在の選択モード６０２が自動選択であることを判定し、次にステップＳ３０５へ処理を移し、通信システム選択処理を始める（ステップＳ４００）。ここでは所定電圧値が１．８（Ｖ）であり、電源電圧値が１．７（Ｖ）であると仮定しているので、制御部２０５は処理をステップＳ４０１へ移す。ここで制御部２０５は低電圧時優先システムデータを読み込み、図５に示すように表示部位５０２に、低電圧のためＧＳＭ優先中であることを表示する。
【００５２】
次に、制御部２０５はＧＳＭの電界強度を判定する。ここでは電界強度が十分に強いと仮定しているので、制御部２０５はＧＳＭを選択し、表示部位５０１にＧＳＭを選択中であることを表示して（ステップＳ４０３）通信システム選択処理（ステップＳ３０５）を終える。次に制御部２０５はステップＳ３０６で、ＧＳＭ無線部２０２を通じて、ＧＳＭの無線基地局に位置登録のための信号を送信し位置登録を行う。次に制御部２０５はＧＳＭで待ち受け状態（ステップＳ３０７）に処理を移行して、移動通信端末１００はＧＳＭを介しての発呼及び着呼が可能な状態になる。
【００５３】
以上、本発明を実施の形態に基づいて説明してきたが、本発明は、上述の実施の形態に限定されないのは勿論であり、以下のような場合も本発明に含まれる。
（１）上記実施の形態においては、ＧＳＭ及びＵＭＴＳといった２つの移動通信システムに適応可能な移動通信端末について説明したが、移動通信システムは上記に限定されない。例えば、ＧＳＭとＰＨＳでもよいし、ＰＤＣとＰＨＳでもよい。また２つではなく３つ以上の移動通信システムに適応可能な移動通信端末にも適用可能である。
【００５４】
（２）上記実施の形態においては、図３及び図４に示すように電源電圧値が所定電圧値７００よりも低い場合（ステップＳ４００でＹＥＳ）にも、接続履歴の登録（ステップＳ３１２）を行うとしたが、これに代えて電源電圧値が所定電圧値よりも低い場合（ステップＳ４００でＹＥＳ）は接続履歴の登録（ステップＳ３１２）を行わなくてもよい。つまり、消費電力軽減のために自動選択された移動通信システムは電源電圧値に制限されて選択されたものなので、必ずしも使用者の好みを反映しているとはいえない。このような必ずしも使用者の好みを反映しているとはいえない通信接続履歴情報を残さないでおくことにより、使用者の好みをより的確に反映して履歴情報を蓄積することができる。
【００５５】
（３）上記実施の形態においては、電源電圧値を反映した移動通信システムの選択処理と、通信接続履歴情報を反映した移動通信システムの選択処理を併せた例を示したが、通信システムの選択処理はこれらの処理のうちどちらか１つの選択処理だけを行ってもよい。
すなわち、電源電圧値を反映した移動通信システムの選択処理だけの場合は、ステップＳ３１２で接続履歴（時間）８０３または接続履歴（回数）８０４を根拠にした選択順８０２の更新をおこなわない。その更新をおこなわない代わりに、選択順８０２を使用者が入力部２０８を通して更新できてもよいし、制御部２０５が何らかのパラメータをもとに更新してもよい。一方、通信接続履歴情報を反映した移動通信システムの選択処理だけの場合は、図４で示す通信システム選択処理がステップＳ４０７からおこなわれる。
【００５６】
このようにどちらか一つの選択処理を行うか、あるいは本実施の形態で示したように双方の選択処理を行うかの設定は、使用者が入力部２０８を通じて設定することが可能であり、その設定動作を以下に説明する。
使用者が、上記の設定を行うためのコマンドを入力部２０８の設定キーを押下するなどして入力すると、制御部２０５は設定を行うためのＧＵＩを表示部２０９にさせるべく処理を行い、次に使用者はその結果表示される画面の指示に従って、入力部２０８の設定キーを押下するなどして設定を行うことができる。この設定を行う際の表示例を図１２に示す。
【００５７】
表示画面１２００は表示部２０９の表示内容の一例である。この表示画面１２００は、電源電圧値、接続履歴、及び電源電圧値と接続履歴のうち何れか１つを選択するためのラジオボタンを表示する表示部位１２０１を持ち、使用者はラジオボタンを何れか１つ選択することによって、制御部２０５がどの選択処理を行うかの設定をすることが可能である。同図では、電源電圧値を反映した移動通信システムの選択処理と、通信接続履歴情報を反映した移動通信システムの選択処理の双方を行うように設定した例を示している。
【００５８】
（４）上記実施の形態においては、図３に示すように、通信システム選択方法の設定（ステップＳ３０１）は、電源投入後、使用者による設定の指示がある場合に（ステップＳ３００でＹＥＳ）行われるとしたが、通信システム選択方法の設定の処理が行われるタイミングはここに限定されない。例えば待ち受け状態時（ステップＳ３０７）に使用者による設定の指示がある場合にも行ってよい。
【００５９】
（５）上記実施の形態においては、図４に示すように電源電圧値が所定電圧値７００よりも低い時（ステップＳ４００でＹＥＳ）に、ＧＳＭの電界強度が十分な場合は必ずＧＳＭが選択されることを示したが、さらにＵＭＴＳの電界強度も十分な場合はＧＳＭの選択回数を超えない範囲でＵＭＴＳが選択されてもよい。ただし、この場合は、電源電圧値が所定電圧値７００よりも低い時（ステップＳ４００でＹＥＳ）にどちらの移動通信システムを何度選択したかを、制御部２０５が記憶部２１０に記録しているものとする。
【００６０】
（６）上記実施の形態においては、図４に示すように電源電圧値が所定電圧値７００以上の時（ステップＳ４００でＮＯ）に、選択順１の移動通信システムの電界強度が十分な場合は必ず選択順１の移動通信システムが選択されることを示したが、さらに選択順２の移動通信システムの電界強度も十分な場合は選択順１の移動通信システムの選択回数を超えない範囲で選択順２の移動通信システムが選択されてもよい。ただし、選択順１の移動通信システム、または選択順２の移動通信システムのどちらを何度選択したかを、制御部２０５が記憶部２１０に記録しているものとする。
【００６１】
（７）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号を、電気通信回線、無線又は有線通信回線、インターネットを代表とするネットワーク等を経由して伝送するものとしてもよい。
【００６２】
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
【００６３】
【発明の効果】
以上詳述したように、本発明に係る通信端末は、複数の移動通信システムの１つを介して外部端末と通信する通信端末であって、本通信端末を駆動する電源電圧を検知する電圧検知手段と、前記電圧検知手段にて得られた電源電圧値を反映していずれの移動通信システムを選択するかの処理を行うシステム選択手段と、前記システム選択手段によって選択された移動通信システムに対し位置登録信号を送信する位置登録手段とを備えることを特徴とする。
【００６４】
これにより、電源電圧が大きい時と小さい時で移動通信システムの選択方法を変えることができるようになる。例えば、電源電圧が小さい時には、消費電力が小さい移動通信システムを選ぶようにその選択を制限し、電源電圧が大きい時には、消費電力が大きいが通信速度が速いような移動通信システムを選択できるようになる。これにより、常に特定の移動通信システムが優先して自動選択されることがなくなる。
【００６５】
ここで、前記システム選択手段は、検知された電源電圧値が所定値より小さい場合に、自端末の消費電力が少ななくて済むと予め定められている移動通信システムを優先して選択する処理を行うことを特徴とすることとしてもよい。
これにより、電源電圧値が所定値より小さい場合には消費電力の軽減を図ることができる一方で、電源電圧値が所定値以上の場合には、例えば使用者の通信接続履歴情報など消費電力以外の選択基準を適用して移動通信システムの自動選択を行う通信端末を提供することができる。
【００６６】
また、本発明に係る通信端末は、複数の移動通信システムの１つを介して外部端末と通信する通信端末であって、外部通信端末と通信接続する度毎にどの移動通信システムを介したかに係る履歴情報を蓄積する履歴蓄積手段と、前記履歴蓄積手段によって蓄積された前記履歴情報を反映して移動通信システムを選択するシステム選択手段と、前記システム選択手段によって選択された移動通信システムに対し位置登録信号を送信する位置登録手段とを備えることを特徴とする。
【００６７】
これにより使用者が移動通信システムを選択する際の指向を、使用者の通信接続履歴情報という側面から捕らえて、それに従った移動通信システムの選択をして使用者に提供することが可能になる。通信接続履歴情報は使用者が好んでよく選択する移動通信システムを反映していると考えられるので、次に使用者がどの移動通信システムを選択するかを予測するための大きな手がかりの１つとなる。すなわち、使用者がどの移動通信システムを好むかを使用者の通信接続履歴情報に基づいて予測し、その移動通信システムを自動で選択することにより、使用者が、好まない移動通信システムが自動で選ばれたため好む移動通信システムに手動で切り替えて位置登録しなければいけないという煩雑な操作を、出来るだけ省き効率よく使用することができる。
【００６８】
ここで前記システム選択手段は前記履歴蓄積手段によって蓄積された前記履歴情報から移動通信システム毎の通信回数を計数し前記通信回数が最大の移動通信システムを優先して選択すること特徴とすることとしてもよい。
これにより、使用者が移動通信システムを選択する際の指向を、使用者の通信接続履歴情報のうち、通信回数という側面から捕らえて、それに従った移動通信システムの選択をして使用者に提供することが可能になる。通信回数が最も多い移動通信システムは使用者が最も好んで何度も選択する移動通信システムを反映していると考えられるので、次に使用者がどの移動通信システムを選択するかを予測するための大きな手がかりの１つとなる。すなわち、使用者がどの移動通信システムを好むかを通信回数に基づいて予測し、その移動通信システムを自動で選択することにより、使用者が、好まない移動通信システムが自動で選ばれたため好む移動通信システムに手動で切り替えて位置登録しなければいけないという煩雑な操作を、出来るだけ省き効率よく使用することができる。
【００６９】
また前記履歴蓄積手段によって蓄積される履歴情報は通信時間に係る情報を含むものであって、前記システム選択手段は前記履歴蓄積手段によって蓄積された前記履歴情報から移動通信システム毎の累積通信時間を取得し前記累積通信時間が最も長い移動通信システムを優先して選択することを特徴とすることとしてもよい。
【００７０】
これにより、使用者が移動通信システムを選択する際の指向を、使用者の通信接続履歴情報のうち、累積通信接続時間という側面から捕らえて、それに従った移動通信システムの選択をして使用者に提供することが可能になる。累積通信接続時間が最も長い移動通信システムは使用者が最も好んで長時間使用する移動通信システムを反映していると考えられるので、次に使用者がどの移動通信システムを選択するかを予測するための大きな手がかりの１つとなる。すなわち、使用者がどの移動通信システムを好むかを累積通信回数に基づいて予測し、その移動通信システムを選択することにより、使用者が、好まない移動通信システムが自動で選ばれたため好む移動通信システムに手動で切り替えて位置登録しなければいけないという煩雑な操作を、出来るだけ省き効率よく使用することができる。
【００７１】
また、本発明に係る通信端末は、複数の通信方式が互いに異なる移動通信システムの１つを介して外部端末と通信することができる通信端末であって、前記複数の移動通信システムの各々の通信方式対応して通信するための各々の無線部と、本通信端末を駆動する電源電圧を検知する電圧検知手段と、前記電圧検知手段から得られた電源電圧値を反映していずれの前記無線部を選択するかの処理を行う無線部選択手段と、前記無線部選択手段によって選択された無線部を通じて位置登録信号を送信する位置登録手段とを備えることを特徴とする。
【００７２】
これにより、電源電圧値が大きい時と小さい時で選ぶ無線部を変えることができるようになる。例えば、電源電圧値が小さい時には、消費電力が小さい移動通信システムに対応した無線部を選ぶようにその選択を制限し、一方電源電圧が大きい時には、消費電力が大きいが通信速度が速いような移動通信システムに対応した無線部を選択できるようになる。これにより、常に特定の移動通信システムに対応した無線部が優先して自動選択されることがなくなる。
【００７３】
また、本発明に係る通信端末は、複数の通信方式が互いに異なる移動通信システムの１つを介して外部端末と通信することができる通信端末であって、前記複数の移動通信システムの各々の通信方式対応して通信するための各々の無線部と外部通信端末と通信接続する度毎にどの移動通信システムを介したかに係る情報を蓄積する履歴蓄積手段と、前記履歴蓄積手段によって蓄積された前記履歴情報を反映して前記無線部を選択する処理を行う無線部選択手段と、前記無線部選択手段によって選択された無線部を通じて移動通信システムに対し位置登録信号を送信する位置登録手段とを備えることを特徴とする。
【００７４】
これにより、使用者が移動通信システムを選択する際の指向を、使用者の通信接続履歴情報という側面から捕らえて、それに従った移動通信システムに対応する無線部を自動で選択しその無線部を介して本通信端末を位置登録することが可能になる。通信接続履歴情報は使用者が好んでよく選択する移動通信システムを反映していると考えられるので、次に使用者がどの移動通信システムを選択するかを予測するための大きな手がかりとなる。すなわち、使用者がどの移動通信システムを好むかを通信接続履歴情報に基づいて予測し、その移動通信システムの通信方式に対応した無線部を選択することにより、使用者が、好まない移動通信システムに対応する無線部が自動で選ばれ、その無線部を通じで位置登録をされたため、使用者が好む移動通信システムに手動で切り替えて位置登録しなければいけないという煩雑な操作を、出来るだけ省き効率よく使用することができる。
【図面の簡単な説明】
【図１】移動通信端末１００と移動通信システムとの関係を示す図である。
【図２】移動通信端末１００の構成を示すブロック図である。
【図３】移動通信端末１００の電源を投入後の処理の流れを示すフローチャートである。
【図４】図３で示す通信システム選択処理（ステップＳ３０５）内部の流れを示すフローチャートである。
【図５】移動通信端末１００の表示部の表示画面例を示す図である。
【図６】移動通信端末１００の通信システム選択モードデータを示す図である。
【図７】移動通信端末１００の所定の電圧値データを示す図である。
【図８】移動通信端末の通信システム選択基準データを示す図である。
【図９】移動通信端末１００の表示部の表示画面例を示す図である。
【図１０】移動通信端末１００の表示部の表示画面例を示す図である。
【図１１】移動通信端末１００の表示部の表示画面例を示す図である。
【図１２】移動通信端末１００の表示部の表示画面例を示す図である。
【図１３】図３で示す通信システム選択方法の設定（ステップＳ３０１）内部の流れを示すフローチャートである。
【符号の説明】
１００  移動通信端末
１０１  ＧＳＭの無線基地局
１０２  ＵＭＴＳの無線基地局
１０３  ＵＭＴＳの無線基地局
１０４  ＧＳＭの無線基地局
１０５  公衆通信回線
１０６  移動通信端末位置管理局
１０７  通信端末
２０１  共通アンテナ
２０２  ＧＳＭ無線部
２０３  ＵＭＴＳ無線部
２０４  電界強度測定部
２０５  制御部
２０６  スピーカー
２０７  マイクロフォン
２０８  入力部
２０９  表示部
２１０  記憶部
２１１  電源電圧検知部
５００  表示画面
５０１  表示部位
５０２  表示部位
【図１】
2005020198.tif 000003
【図２】
2005020198.tif 000004
【図３】
2005020198.tif 000005
【図４】
2005020198.tif 000006
【図５】
2005020198.tif 000007
【図６】
2005020198.tif 000008
【図７】
2005020198.tif 000009
【図８】
2005020198.tif 000010
【図９】
2005020198.tif 000011
【図１０】
2005020198.tif 000012
【図１１】
2005020198.tif 000013
【図１２】
2005020198.tif 000014
【図１３】
2005020198.tif 000015